(57)【要約】      （修正有）【課題】簡単な構造で、しかも１部品からなるストラップの長さ調節具を提供する。【解決手段】一対のストラップ１の長さ調節具は、本体部と蓋部５からなる。前記蓋部５は前記本体部に対して折り畳み可能であり、折り畳み時には前記ストラップ１の一端部１１を保持固定する。前記本体部は、中央に平坦部４１、両端に下降部４２が形成されており、前記下降部４２にはストラップ１を通過させるためのスロットが設けられている。【選択図】図３
0003144452.tif 000002
【実用新案登録請求の範囲】
【請求項１】
一対のストラップ（１）の長さ調節具（２）であって、
各調節具（２）は、本体部（４）と蓋部（５）からなり、前記蓋部（５）は前記本体部（４）に対して折り畳み可能であり、折り畳み時には前記ストラップ（１）の一端部（１１）を保持固定し、
前記本体部（４）は、中央に平坦部（４１）、両端に下降部（４２）が形成されており、前記下降部（４２）にはストラップ（１）を通過させるためのスロット（４３）が設けられている
ことを特徴とするストラップの長さ調節具。
【請求項２】
前記ストラップ（１）を挟み込んで前記蓋部（５）を前記本体部（４）に対して折り畳むとき、その折り畳み状態を維持するために、前記蓋部（５）及び前記本体部（４）にそれぞれストラップ（１）に食い込む爪（４４，５１）が設けられている請求項１記載の調節具。
【請求項３】
前記ストラップ（１）を挟み込んで前記蓋部（５）を前記本体部（４）に対して折り畳むとき、その折り畳み状態を維持するために、前記蓋部（５）には係止爪（５２）を設け、前記本体部（４）の係止溝（４５）と係合するようにした請求項１又は２記載の調節具。
【請求項４】
請求項１ないし３の何れかに記載のストラップの長さ調節具を有することを特徴とするネックストラップ。
【考案の詳細な説明】
【技術分野】
【０００１】
本考案は、ストラップの長さ調節具に関する。以下の説明では、ネックストラップのストラップを例にしているが、本考案においてストラップの用途は問わない。
【背景技術】
【０００２】
名札を首からストラップで吊り下げるときに使用するネックストラップでは、着用者の体格に応じて、ストラップの長さ調節が必要となる。よく見られるタイプの長さ調節具は、数字の「８」又は漢字の「日」の字型の部品（業界では「エイトカン」と呼んでいる）を使用し、その中の２つの孔にストラップを通す方法である。この方法では、ストラップの端部が遊端となってはみ出てしまい、見栄えがよくない。
【０００３】
別のタイプの長さ調節具は、紐止め具（「コードロック」ともいう）を使用して、その紐止め具の位置をスライドさせることによりストラップの長さ調節を行う。この方法では、紐止め具によって絞り込まれて使用されずに余ったストラップが小さなリングを形成したまま残り、やはり見栄えがよくない。
【０００４】
そこで、下記特許文献１では、遊端や余剰ストラップのリングが発生しないようなストラップ調節具を提案している。これによると、紐の一端に咬着される咬着部とこの咬着部と結合分離可能に弾性的に連結される輪部とで継手を構成する。この継手２個ａ，ｂを用い、一方の継手ａの咬着部に紐の一端を咬着させ、この紐の他端を他方の継手ｂの輪部を通過させ、更に上記一方の継手ａの輪部を通過させて、継手ｂの咬着部に咬着させる。このようにすると紐の両端は任意長さで重なって輪になり、紐の輪の大きさが調節できる。
【特許文献１】実用新案登録第３１１０８２７号
【考案の開示】
【考案が解決しようとする課題】
【０００５】
上記従来技術では、外部から力が加わったときに外れる機構をこの継手に併設しているため、複雑な形状となっているだけでなく、各継手は２部品からなるので、金型の製作費が高いものとなる。
【０００６】
本考案は、簡単な構造で、しかも１部品からなるストラップの長さ調節具を提供することを目的とする。
【課題を解決するための手段】
【０００７】
一対のストラップの長さ調節具であって、各調節具は、本体部と蓋部からなり、前記蓋部は前記本体部に対して折り畳み可能であり、折り畳み時には前記ストラップの一端部を保持固定し、前記本体部は、中央に平坦部、両端に下降部が形成されており、前記下降部にはストラップを通過させるためのスロットが設けられていることを特徴とする。
【考案の効果】
【０００８】
本考案によれば、ストラップの両末端がこれらの調節具にそれぞれ固定されており、しかも、これらの調節具には別にストラップの通過を許容するスロットを有するため、ストラップはこれらの調節具の間でだけ二重になっている。ストラップの長さ調節は、２個の調節具の間の二重になっているストラップの長さを調節することによって行うことができる。
【０００９】
本考案によれば、ストラップの遊端がストラップから突出することはない。また、各調節具の構造は至極簡単であり、金型製作等も容易である。
【考案を実施するための最良の形態】
【００１０】
ストラップを挟み込んで蓋部を本体部に対して折り畳むとき、その折り畳み状態を維持するために、蓋部及び本体部にはそれぞれストラップに食い込む爪を設けることが好ましい。また、蓋部には係止爪を設け、本体部に対して折り畳まれたとき、本体部の係止溝と係合するようにすることが好ましい。
【実施例１】
【００１１】
以下、添付の図面に基づき、本考案の実施例を説明する。
【００１２】
図１は、本考案の一実施例であるストラップ１の長さ調節具２を有するネックストラップ３の斜視図である。
【００１３】
このネックストラップ３は、テープ状ストラップ１と、ストラップの長さ調節具２と、非常時にストラップを分離可能とする連結具７と、吊下げ対象物９を保持するホルダー８とからなる。この例では、吊下げ対象物９は名札であり、ホルダー８は洗濯挟みのような形状のクリップである。ストラップ１の長さ調節具２は２個使用されている。
【００１４】
図２及び図３に示すように、ストラップ１の両末端１１がこれらの調節具２にそれぞれ固定されており、しかも、これらの調節具２には別にストラップ１の通過を許容するスロット４３を有するため、ストラップ１はこれらの調節具２の間でだけ二重になっている。
【００１５】
２個の調節具は、合成樹脂製で同じ構造であり、上下逆に配置して配置される。組立前の展開状態は、図４の（ａ）〜（ｆ）に示すとおりである。図２の左に位置する調節具２の側から見て、図４の（ａ）は底面図、（ｂ）は平面図、（ｃ）は左側面図、（ｄ）は正面図、（ｅ）は右側面図、（ｆ）は底面図である。
【００１６】
これらの図に示すように、各調節具２は、本体部４と蓋部５が射出成形等により一体成型されている。本体部４と蓋部５の間は屈曲部６であり、ここを中心として、蓋部５は本体部４に対して折り畳まれる。
【００１７】
本体部４は、側面から見ると、中央に平坦部４１、両端に下降部４２が形成されている（（ｃ）（ｅ）参照）。逆の側から見れば「下降部４２」は「隆起部」である。下降部４２にはストラップ１を通過させるためのスロット４３が設けられている。平坦部４１からは４個所で爪４４が突出している。
【００１８】
図３に示すように、この平坦部４１の上にストラップ１の一端部１１を載せて、蓋部５が折り畳まれる。蓋部５にも５個所で爪５１が設けられているので、上下の爪４４，５１の食い込みによってストラップ１は移動不可能な状態に保持固定される。
【００１９】
蓋部５には別に係止爪５２があり、図５に示すように、本体部４に対して折り畳まれたとき、本体部４の係止溝４５と係合する。
【００２０】
ストラップ１の長さ調節は、２個の調節具２の間の二重になっているストラップ１の長さを調節することによって行う。ストラップ１の長さを短くするには、各調節具２を指で摘んで互いに離す方向に調節具をスライドさせる。ストラップ１の長さを長くするにはその反対に各調節具２を近づける方向にストラップ１を引っ張って伸ばせばよい。
【図面の簡単な説明】
【００２１】
【図１】本考案の一実施例であるストラップの長さ調節具を有するネームホルダーの斜視図である。
【図２】ストラップの長さ調節具の拡大斜視図である。
【図３】ストラップ取付前の状態を示す調節具の拡大斜視図である。
【図４】（ａ）は底面図、（ｂ）は平面図、（ｃ）は左側面図、（ｄ）は正面図、（ｅ）は右側面図、（ｆ）は底面図である。
【図５】（ａ）ストラップ取付前、（ｂ）ストラップ取付後の調節具の断面図である。
【符号の説明】
【００２２】
１     ストラップ
１１   ストラップ末端
２     調節具
３     ネックストラップ
４     本体部
４１   平坦部
４２   下降部（隆起部）
４３   スロット
４４   爪
４５   係止溝
５     蓋部
５１   爪
５２   係止爪
６     屈曲部
【図１】
0003144452.tif 000003
【図２】
0003144452.tif 000004
【図３】
0003144452.tif 000005
【図４】
0003144452.tif 000006
【図５】
0003144452.tif 000007